(57)【要約】【課題】携帯電話を用いる必要がなく、また、携帯電話をリモコンに用いるとしても、番組情報を記憶させる機能等を持たせる必要がなく、テレビ受像機のみで番組情報の取得を可能とする番組情報通信システムとそのためのテレビ受像機を提供する。【解決手段】テレビ受像機１は、放送サービス事業者３側に受信情報を送信する受像情報送信手段１５と、放送サービス事業者のポータルサイト受信手段１６を備え、放送サービス事業者側は、テレビ受像機から送信された受像情報を受信するユーザ情報受信手段２１と、受像情報を受信したことをユーザに通知する確認メール生成手段２４と、前記受像情報用のサイト画面を生成するポータルサイト生成手段２５を備えている。【選択図】図２
2008153719.tif 000002
【特許請求の範囲】
【請求項１】
放送事業者からの放送番組をテレビ受像機で受信し、視聴中の受像情報を放送サービス事業者側の通信機器に送信することにより、前記受像情報に対する詳細情報を前記放送サービス事業者から受ける番組情報通信システムであって、
前記テレビ受像機は、前記放送サービス事業者側に前記受信情報を送信する受像情報送信手段と、前記放送サービス事業者のポータルサイト受信手段を備え、
前記放送サービス事業者側の通信機器は、前記テレビ受像機から送信された前記受像情報を受信するユーザ情報受信手段と、前記受像情報を受信したことをユーザに通知する確認メール生成手段と、前記受像情報用のサイト画面を生成するポータルサイト生成手段を備えていることを特徴とする番組情報通信システム。
【請求項２】
前記受像情報として、少なくともユーザ識別情報、受像チャンネル情報、時間情報が含まれていることを特徴とする請求項１に記載の番組情報通信システム。
【請求項３】
前記受像情報が、番組宣伝情報であることを特徴とする請求項１又は２に記載の番組情報通信システム。
【請求項４】
前記確認メール生成手段により生成された確認メールは、ユーザの携帯電話に送信されることを特徴とする請求項１に記載の番組情報通信システム。
【請求項５】
前記ポータルサイト生成手段で生成されたポータルサイト画面内に、番組の視聴を予約する選択ボタンが設けられていることを特徴とする請求項１に記載の番組情報通信システム。
【請求項６】
放送事業者から放送番組を受信し、視聴中の受像情報を放送サービス事業者に送信することにより、前記受像情報に対する詳細情報を前記放送サービス事業者から受けるテレビ受像機であって、
前記放送サービス事業者の通信機器に前記受信情報を送信する受像情報送信手段と、前記放送サービス事業者側で生成されたポータルサイトを受信するポータルサイト受信手段とを備えていることを特徴とするテレビ受像機。
【請求項７】
前記ポータルサイト受信手段で受信したポータルサイト画面を利用して、放送番組をテレビ受像機本体に視聴予約する番組予約手段を備えていることを特徴とする請求項６に記載のテレビ受像機。
【発明の詳細な説明】
【技術分野】
【０００１】
本発明は、テレビ受像機で受像中の番組情報を放送サービス事業者に通知して、放送サービス事業者から所定のサービスを受ける番組情報通信システムとそのためのテレビ受像機に関する。
【背景技術】
【０００２】
テレビ番組に関して、テレビ番組雑誌又はネットワーク等を通じて提供される電子番組表（ＥＰＧ）等で、番組情報を事前に取得することが可能となっている。この結果、かなり先の放映予定のテレビ番組についても録画予約することが可能となっている。また、これらの番組情報に加えて、自局の放送予定の番組を宣伝する「番宣」と言われているコマーシャル放送も行われている。これらの番組の情報は、視聴者にとって有用ではあるが、これらを確実に記憶して興味ある番組を視聴しているとは言い難く、視聴しようと思っていたのに忘れることも多い。特に、「番宣」の場合、ＥＰＧ等で通知される前の番組の場合は、録画予約も個別対応になるため予約操作が面倒であり、ＥＰＧで表示されてからと思っていると忘れてしまうことが多い。
【０００３】
このような場合の対応として、例えば、特許文献１には携帯電話端末を利用して、テレビで受像中の「番宣」を携帯電話側に吸い取り、携帯電話を通じてＷｅｂ上又は電子メールで番組情報サーバに送信し、前記の「番宣」に関する番組情報を、番組情報サーバから携帯電話に返信する技術が開示されている。なお、「番宣」以外の受像番組についての番組情報についても開示されている。
【０００４】
上記特許文献１の具体的な例として、例えば、テレビのリモコン操作機能を備えた携帯電話でテレビ受像機を操作し、所望のチャンネルを受信中に「番宣」が放映されて、ユーザがその「番宣」に興味を持ったとする。そして、ユーザはこの「番宣」にかかわる番組の視聴又は録画予約をしたいと思い、詳細な番組情報を知るためにリモコン操作に使用して携帯電話の所定の機能ボタンを押し、携帯電話側にテレビで受像中の「番宣」のチャンネル情報等を記録する。そして、テレビ受像機の「番宣」に関する番組情報のサービスを要求するために、携帯電話を介して記録されている前記の「番宣」のチャンネル情報を番組情報サーバに送信し、番組情報を要求する。
【０００５】
番組情報の要求を受けた番組情報サーバは、データベース内に格納されている番組情報を、受信した携帯電話のユーザＩＤに基づいて、番組情報を要求した携帯電話に送信する。また、番組情報サーバは、抽出した素材ＩＤ、チャンネル情報、ユーザＩＤ、位置情報、受信時刻等を関連づけた視聴情報を視聴ログに格納し、視聴率データ等の集計に利用できるようにしている。
【０００６】
番組情報サーバから「番宣」の番組情報を携帯電話が受信すると、受信した番組情報を携帯電話内に記憶すると共に、情報内容を表示部に表示させて番組情報を読取り確認する。この後、かかる番組情報をもとに録画予約をする場合は、携帯電話で録画予約情報を作成し、録画装置に赤外線送信等を用いて録画予約等の登録をする。なお、番組情報サーバ側で録画予約情報を作成し、番組情報サーバからユーザの録画装置に対して、録画予約を行うこともできるとされている。
【特許文献１】特開２００５−２４４８７８号公報
【発明の開示】
【発明が解決しようとする課題】
【０００７】
上述した従来技術によれば、ユーザが視聴中のテレビ番組に興味を持った場合、リモコン機能を有する携帯電話の番組情報取得キーを操作するだけで、番組情報を容易に取得することができる。また、「番宣」の情報も容易に取得して、録画予約も容易に行うことが可能となる。しかしながら、テレビ受像機のリモコン操作に携帯電話を必要とし、その携帯電話にテレビの番組情報を記憶させる機能を持たせたり、放送開始の時刻を報知する機能など、特殊な機能を備えた構成のものを必要とし、複雑なシステムとなっている。
【０００８】
本発明は、上述した実情に鑑みてなされたもので、携帯電話を用いる必要がなく、また、携帯電話をリモコンに用いるとしても、番組情報を記憶させる機能等を持たせる必要がなく、テレビ受像機のみで番組情報の取得を可能とする番組情報通信システムとそのためのテレビ受像機の提供を目的とする。
【課題を解決するための手段】
【０００９】
本発明による番組情報通信システムは、放送事業者から放送番組をテレビ受像機で受信し、視聴中の受像情報を放送サービス事業者側の通信機器に送信することにより、前記受像情報に対する詳細情報等を放送サービス事業者から受ける番組情報通信システムである。テレビ受像機は、放送サービス事業者側に受信情報を送信する受像情報送信手段と、放送サービス事業者のポータルサイト受信手段を備え、放送サービス事業者側は、テレビ受像機から送信された受像情報を受信するユーザ情報受信手段と、受像情報を受信したことをユーザに通知する確認メール生成手段と、前記受像情報用のサイト画面を生成するポータルサイト生成手段を備えている。
【００１０】
前記の受像情報としては、例えば、番組宣伝情報が対象とされ、少なくともユーザ識別情報、受像チャンネル情報、時間情報を含んでいる。また、前記の確認メール生成手段により生成された確認メールは、ユーザの携帯電話に送信するようにしてもよい。また、前記のポータルサイト受信手段で生成されたポータルサイト画面内に、番組の視聴を予約する選択ボタンを設けるようにしてもよい。
【００１１】
また、本発明によるテレビ受像機は、放送事業者から放送番組を受信し、視聴中の受像情報を放送サービス事業者に送信することにより、受像情報に対する詳細情報を放送サービス事業者から受けるテレビ受像機で、放送サービス事業者の通信機器に受信情報を送信する受像情報送信手段と、放送サービス事業者側で生成されたポータルサイトを受信するポータルサイト受信手段とを備えている。なお、前記のポータルサイト受信手段で受信したポータルサイト画面を利用して、放送番組をテレビ受像機本体に視聴予約する番組予約手段を備えるようにしてもよい。
【発明の効果】
【００１２】
本発明によれば、携帯電話等の通信手段を用いることなく、テレビ受像機を介して直接番組情報等のサービスを取得することができる。また、テレビ受像機自身に放送サービス事業者からの番組情報を取り入れることができ、電子番組表等と組み合わせて「番宣」等の視聴予約も行わせることが可能となる。
【発明を実施するための最良の形態】
【００１３】
図１は本発明の概略を説明する図である。本発明による番組情報通信システムは、一般的な家庭用のテレビ受像機１で放送事業者２から提供される放送番組を受信して視聴すると共に、放送番組についての詳細情報等を通信ネットワーク４等を介して放送サービス事業者３に要求することにより、各種の番組情報を取得することができるシステムである。番組情報としては、各放送番組やＣＭ放送に関してユーザが知りたいと思う情報で、例えば、電子番組表に関する情報、放送局が自局の新番組の紹介等を行う番組宣伝放送（以下、番宣という）の情報が含まれる。
【００１４】
本発明に使用されるテレビ受像機１は、例えば、テレビ前面に設けた操作ボタンを用いるマニュアル操作、テレビ専用のリモコンを用いたリモコン操作、テレビのリモコン操作機能を持たせた携帯電話を用いた携帯電話操作等を使用して視聴することができるものとする。また、テレビ受像機１は、通信ネットワーク４等に接続されていて、放送サービス事業者３の通信機器（具体的には、放送サービス事業者のサーバ等）と接続されていて、双方向通信が可能とされている。なお、テレビ受像機１は、放送事業者２からの放送番組を、地上波・衛星放送アンテナを介して無線で受信したり、光ファイバやＣＡＴＶ等の有線で受信することができるものとする。
【００１５】
図２は、上述した番組情報通信システムの一例を説明するブロック図である。テレビ受像機１は、基本的な構成として、一般的なテレビ受像機と同様に、各種の設定や入力を行う入力部１０、入力された設定値等を表示する表示部１１、通信ネットワークを介して外部との通信を行う通信部１２を有している。また、アンテナ等を介して放送事業者からの放送番組を受信する番組受信手段１３、電子番組表（ＥＰＧ）を受信するＥＰＧ受信手段１４を備えている。
【００１６】
本発明においては、上記の手段に加えて、テレビ受像機１内に受像情報送信手段１５を備えている。この受像情報送信手段１５は、放送事業者から送出されている放送番組のうちからユーザが所望の放送番組を選択して、テレビ受像機１で視聴中の受像情報（受像時刻、チャンネル情報、受像コンテンツ名等）を取得し、これにユーザＩＤを添えて予め登録してある放送サービス事業者３に送信して、例えば、この受像情報に関する詳細情報等の提供を要求する手段である。この受像情報送信手段１５による情報の要求は、例えば、テレビ受像機１内に設けられた、操作キー１９を操作することにより実行することができる。
【００１７】
操作キー１９の操作は、図１で説明したような、手によるマニュアル操作で行うようにしてもよく、テレビ専用のリモコンを用いたリモコン操作で行うようにしてもよく、テレビのリモコン操作機能を備えた携帯電話で操作するようにしてもよい。
そして、操作キー１９の単一操作で、自動的に通信部１２から通信ネットワーク４を経由して、視聴中の受像情報及びユーザＩＤが予め登録してある放送サービス事業者が選択され、当該放送サービス事業者の通信機器に送信される。放送サービス事業者３の通信機器は、この操作によって送信されたユーザからの受像情報及びユーザＩＤを受信するユーザ情報受信手段２１を備えている。
【００１８】
放送サービス事業者３側では、ユーザ情報受信手段２１によって受信した情報から、まず、情報に添付されているユーザＩＤをユーザ認証手段２２により、サービス提供が登録されているユーザからの要求であるか否かが判定される。登録がなされている正規のユーザからのサービス要求である場合は、ユーザから要求されたサービス内容を解析し、番組情報管理テーブル２３内の情報を参照して、サービス可能であるか否かが検討される。番組情報管理テーブル２３には、ユーザＩＤ、ＥＰＧに関する情報、番組宣伝（番宣）に関する情報、各番組に関する詳細な個別情報、ＣＭに関する情報等が格納され、ユーザの各種要求に応じるための詳細情報を備えている。
【００１９】
また、放送サービス事業者３側では、ユーザからのサービス提供の要求があったとき、要求されたサービス内容を確認するための確認メール生成手段２４を備えることができる。この確認メール生成手段２４によるユーザへのメール内容は、例えば、ユーザが視聴していた受像情報が「番宣」である場合、その番宣の放送予定日時、チャンネル番号、放送の概略等をユーザのメール受信手段等に送信して、要求内容の確認を行うものである。確認メールは、ユーザの携帯電話或いはユーザのパソコンによるメール受信手段５を利用することができる。なお、これらのメール手段を有しないユーザに対しては、テレビ受像機１に放送サービス事業者３のポータルサイトを設定することにより、テレビ受像機１を介して通知するようにすることもできる。
【００２０】
このため、放送サービス事業者３側においては、ユーザのテレビ受像機１にユーザ対応のカスタマイズされた個別のポータルサイトを表示することが可能なポータルサイト生成手段２５を備えている。また、テレビ受信機１側は、放送サービス事業者３から提供されたカスタマイズされた個別のポータルサイトを受信することが可能なポータルサイト受信手段１６を備えている。また、テレビ受像機１に表示されるポータルサイト画面では、放送サービス事業者３を通じて提供された複数の番組情報を個別に表示できるように、例えば、「マイリスト」として個別の情報を表示することが可能なサイト画面表示手段１７を備えることができる。
【００２１】
このサイト画面表示手段１７により、放送サービス事業者３から提供された番組情報をポータルサイト画面で表示させたとき、この画面内に表示された番組情報を、予約するか否かを選択する選択ボタン２０を設けるようにしてもよい。この選択ボタン２０を選択することにより、例えば、テレビ受像機１にタイマー機能等を持たせて、その予約日時に自動的に予約番組が受信されるような番組予約手段１８を備えるようにしてもよい。この場合、予約した日時に他の番組を受像している場合は、自動的に予約番組に切り替わるようにしたり、ＥＰＧに目立つような表示を付して注意を喚起するようにしてもよい。また、番組の受信予約を前記の選択ボタン２０で選択したとき、放送サービス事業者に当該番組の放送日時を携帯電話等で通知してもらうようなサービスを要求するようにしてもよい。さらには、テレビ受像機１に録画装置が付属されていたり接続されているような場合、録画予約を行えるようにしてもよい。
【００２２】
図３Ａ〜図３Ｅは、上述した番組情報通信システムについて、具体例で説明する図である。例えば、図３Ａに示すように、ユーザがテレビを視聴中に「ボクシングの世界防衛戦」に関する「番宣」があったとする。このとき、ユーザがこの「番宣」に興味を持ち、ぜひ忘れずに視聴したいと思ったとする。しかし、放送日がかなり先であることから、ＥＰＧには表示されておらず、忘れないようにマークすることもできない。そこで、前記の「番宣」を視聴しているときに、ＴＶリモコン等の所定の操作キーを操作（押す）することで、視聴中のテレビ受像機から通信ネットワークを経て予め登録してある放送サービス事業者に、番組情報に関するサービスの提供を依頼する。
【００２３】
放送サービス事業者に「番宣」に関するサービスの提供を依頼するときに送信する情報の一例として、図３Ｂに示すように、例えば、ユーザＩＤと操作時刻、視聴チャンネルの情報が送信される。この情報を受信した放送サービス事業者は、ユーザＩＤを確認し、番組宣伝情報の管理テーブルを参照して、操作時刻と視聴チャンネルからサービスを依頼された「番宣」を特定する。そして、この「番宣」に関する詳細情報を番組情報管理テーブルから抽出して、ユーザ宛てに確認のメールを送信する。
【００２４】
図３Ｃは確認メールの一例を示す図で、「番宣」の情報、例えば、番組のジャンル、放送予定の日時、放送タイトル、詳細情報、チェック時刻等が通知され、要求された番組内容の確認がなされる。ユーザは、この確認メールの内容をみて、以後のサービス提供が不要ならキャンセルボタンを操作する。当該「番宣」に関するサービスを継続する場合は、キャンセルボタンを押さずにおく。ユーザは、このような確認メールを受信することで、上述したサービス要求の操作が確実に行われたことを確かめることができ、操作が正しく行われたか否かを懸念して再操作するというようなことを回避することができる。
【００２５】
なお、放送サービス事業者からは、登録されているユーザに対して、例えば、図３Ｄに示すようなユーザ毎にカスタマイズされたポータルサイトが通信ネットワークを介して提供されているものとする。このポータルサイトには、番組の視聴予約や取得した番組情報等をリストアップした「マイリスト」や、サービス案内、おススメ番組、・・・・等が表示されている。
【００２６】
図３Ｃのメールでキャンセルボタンが操作されなかった場合（キャンセルしなかった場合）、テレビ受像機で放送サービス事業者から提供されているポータルサイトを起動すると、例えば、「マイリストに新しい番組が登録されましたので確認・・・・」のメッセージが表示される。そこで、ユーザが「マイリスト」のボタンを選択すると、ユーザ用の番組情報リスト等が表示され、例えば、図３Ｅに示すように、放送サービス事業者から提供された「マイリスト」内に上述の「番宣」に関する詳細情報が表示される。この他、放送サービス事業者からＥＰＧが提供されるような場合は、他の番組と識別して表示されるようにすることができる。
【００２７】
ユーザは、「番宣」の情報が必要なときはいつでも「マイリスト」を開くことにより、放送日時等を確認することができる。また、この図３Ｅの表示画面中に、選択ボタンとして、例えば、「予約」「削除」等のボタンを設けることができる。ユーザは、このうちの「予約」を選択すると、テレビ受像機自体に当該「番宣」が放送日時となったときに、自動的に電源がオンされて受像するようにしたり、他の番組を受像中のときに自動的に当該「番宣」に切り変わるようにすることができる。また、「削除」を選択することによりポータルサイトから消去することもできる。
【００２８】
図４〜図６は、上述した番組情報通信システムを実行するフローの一例を説明する図である。図４は、ユーザが視聴中の受像情報を放送サービス事業者に送信して、放送サービス事業者から確認メールを受信するまでのフロー例を示している。このフロー図において、まず、ステップＳ１０で、図３Ａ〜図３Ｂに示したように、リモコン、携帯電話又はマニュアルで操作キーが操作される。次いで、ステップＳ１１で操作キーを操作した時刻、ユーザが視聴中のチャンネル番号が取得される。操作した時刻とチャンネル番号が取得されると、次のステップＳ１２において、前記の取得した受像情報にユーザ識別用のユーザＩＤを添えて、放送サービス事業者に送信する。
【００２９】
放送サービス事業者は、ユーザからの受像情報を受信すると、まず、ステップＳ１３にて、添付のユーザＩＤをチェックして登録されている正規のユーザからの送信であるか否かを判定する。正規のユーザで無い（Ｓ１３ＮＯ）と判定された場合は、係る情報は無視ないしは破棄される。正規のユーザからの送信であると判定された場合は、ステップＳ１４に進んで、例えば、ユーザから送信された情報が「番宣」である場合は、番組宣伝情報管理テーブルを参照して当該「番宣」に関して、ユーザに提供可能な情報があるかが特定される。
【００３０】
放送サービス事業者側において、当該「番宣」に関する情報が確認できなかったり、或いは未入手である場合（Ｓ１４ＮＯ）は、当該データ無しとして、無視ないしは破棄される。ただ、この場合、ユーザにはこの旨をメール等で通知することが望ましい。当該「番宣」に関する情報が確認されて特定することができた場合（Ｓ１４ＹＥＳ）は、ステップＳ１５でユーザ情報管理用のテーブルに、特定された「番宣」の番組識別の情報を書込み、以後のサービスや統計作成に供することができる。次いで、ステップＳ１６でユーザから受信した要求に対する確認メールを送信し、ユーザの要求を受付けたことを通知する。この後、テレビ受像機側で放送受信中ならば、次の要求を連続して送信可能な状態でフローが継続される。しかし、ユーザが、ステップＳ１７でテレビの電源等をオフしたりして操作を終了させることで、本フローも終了する。
【００３１】
図５は、図３Ｃに示す確認メールがユーザに送信されたときにキャンセルボタンが押されたときのフロー例を示している。このフロー図において、まず、ステップＳ２０で、図３Ｃに示したような確認メールが放送サービス事業者からユーザに送信され、ユーザは、このメールに記されている当該「番宣」の詳細情を視覚により確認する。この結果、当該「番宣」について、要求したサービスは、以後も継続することを希望する場合（Ｓ２０ＮＯ）は、キャンセルボタンを選択せずにオフすることで、このフローを終了する。
【００３２】
しかし、当該「番宣」について、要求した以後のサービスはキャンセルしてもよいとした場合（Ｓ２０ＹＥＳ）は、次のステップ２１で確認メールに添付されているキャンセルボタンを選択して放送サービス事業者に返信する。この返信メールを受信した放送サービス事業者側では、この返信メールの送信者は正規のユーザであるか否かがチェックされ、その正当性をチェックする。このチェックの結果、正規のユーザからのものではないと判定されれば（Ｓ２２ＮＯ）、この返信メールを廃棄し、このフローを終了する。
【００３３】
チェックの結果、正規のユーザからのものであると判定されれば（Ｓ２２ＹＥＳ）、ステップＳ２３に進んで、キャンセルされた当該「番宣」の情報を特定する。当該「番宣」が特定できない場合（Ｓ２３ＮＯ）は、この返信メールを廃棄し、このフローを終了する。当該「番宣」の情報が特定することができる場合（Ｓ２３ＹＥＳ）は、ステップＳ２４に進み、図４のステップＳ１５でユーザ情報管理用のテーブルに書込まれた「番宣」の番組識別の情報を削除し、以後のサービス提供を停止し、このフローを終了する。
【００３４】
図６は、放送サービス事業者のポータルサイト画面をユーザに提供するフロー例を示す図である。ポータルサイトに当該「番宣」の画面表示は、ユーザからの要求に応じて放送サービス事業者から提供される。放送サービス事業者は、ユーザから電子メール又は通信ネットワークを通じてポータイルサイトへの画面表示の提供要求があった場合、ステップＳ３１で登録がされている正規のユーザからの要求であるか否かがチェックされる。チェックの結果、正規のユーザからの要求でない場合（Ｓ３１ＮＯ）は、当該要求は廃棄されフローは終了する。
【００３５】
正規の登録されたユーザからの要求である場合は（Ｓ３１ＹＥＳ」）は、ステップＳ３２に進んで図４のフローのステップＳ１５でユーザ情報の管理テーブルに書込んだ当該「番宣」の番組識別の情報を抽出する。次いで、ステップＳ３３で、当該「番宣」の番組識別をもとに番組情報管理テーブルから番組情報の詳細を抽出する。この後、ステップＳ３４で番組情報管理テーブルから抽出された番組情報を、予め設定されているユーザ用のＢＭＬ又はＨＴＭＬに変換されたコンテンツで生成して、通信ネットワークを通じてユーザに提示される。ユーザにおいては、この番組情報を図３Ｄ、図３Ｅで説明したようなポータルサイトで視聴することができる。
【００３６】
以上、本発明の番組情報通信システムを、「番宣」に関する番組情報取得の例で説明したが、この他、「番宣」以外の番組情報取得の場合にも適用することができる。また、例えば、ＣＭ放送のときに、ユーザが当該ＣＭで照会されている商品について興味を示し、これに関する詳細情報を取得したいような場合にも、上述のシステムを利用して放送サービス事業者を介して詳細情報を取得するようにしてもよい。さらに、通販のテレビ番組では、商品の購買申し込みに上述の通信スシステムを利用することにより、通販先に電話による購買申し込みしたりすることなく、購買申し込みを行うことも可能となる。また、放送事業者や放送サービス事業者においても、ユーザからのこれらの情報の収集、アンケートや投票等の実施が容易となって、放送番組に対する視聴者のニーズを容易に把握することが可能となる。
【図面の簡単な説明】
【００３７】
【図１】本発明の概略を説明する図である。
【図２】本発明の番組情報通信システムの一例を説明するブロック図である。
【図３Ａ】視聴中の番組に対して操作キーを操作する例を示す図である。
【図３Ｂ】ユーザからの受像情報の送信例と、放送サービス事業者での番組の特定例を示す図である。
【図３Ｃ】確認メールの一例を示す図である。
【図３Ｄ】ポータルサイトの画面表示の一例を示す図である。
【図３Ｅ】マイリストの画面表示の一例を示す図である。
【図４】ユーザからの要求に応じて放送サービス事業者が番組情報を提供するときのフロー例を示す図である。
【図５】ユーザが番組情報の提供をキャンセルしたときのフロー例を示す図である。
【図６】放送サービス事業者からポータルサイト画面をユーザに提供するフロー例を示す図である。
【符号の説明】
【００３８】
１…テレビ受像機、２…放送事業者、３…放送サービス事業者、４…通信ネットワーク、５…メール受信手段、１０…入力部、１１…表示部、１２…通信部、１３…番組受信手段、１４…ＥＰＧ受信手段、１５…受像情報送信手段、１６…ポータルサイト受信手段、１７…サイト画面表示手段、１８…番組予約手段、１９…操作キー、２０…選択ボタン、２１…ユーザ情報受信手段、２２…ユーザ認証手段、２３…番組情報管理テーブル、２４…確認メール生成手段、２５…ポータルサイト生成手段。
【図１】
2008153719.tif 000003
【図２】
2008153719.tif 000004
【図３Ａ】
2008153719.tif 000005
【図３Ｂ】
2008153719.tif 000006
【図３Ｃ】
2008153719.tif 000007
【図３Ｄ】
2008153719.tif 000008
【図３Ｅ】
2008153719.tif 000009
【図４】
2008153719.tif 000010
【図５】
2008153719.tif 000011
【図６】
2008153719.tif 000012